(57)【要約】【課題】様々な環境それぞれに適応的な、あるいは時宜に応じた外観意匠を呈することが可能な生体情報測定装置を提供する。【解決手段】  生体情報測定装置１００は、筐体１と、その内部に注入された着色媒体を前記筐体の外部から視認可能であるように、当該筐体の外部又は内部に装着される媒体封入体２００と、前記媒体封入体に備えられ、前記着色媒体を該媒体封入体の外部から内部に注入し又はその内部から外部へと排出することが可能な注入口２５０と、を備える。【選択図】図１
2009060950.tif 000002
【特許請求の範囲】
【請求項１】
少なくとも生体の重量を測定する機能を備える生体情報測定装置であって、
筐体と、
その内部に注入された着色媒体を前記筐体の外部から視認可能であるように、当該筐体の外部又は内部に装着される媒体封入体と、
前記媒体封入体に備えられ、前記着色媒体を該媒体封入体の外部から内部に注入し又はその内部から外部へと排出することが可能な注入口と、
を備えることを特徴とする生体情報測定装置。
【請求項２】
前記着色媒体は着色液体であり、
前記媒体封入体は、
前記着色液体の内部の気泡が集まってくる気泡集中部を備えている、
ことを特徴とする請求項１に記載の生体情報測定装置。
【請求項３】
前記媒体封入体は、
当該媒体封入体の内部の前記着色液体の量を指示する液量指示部を備えている、
ことを特徴とする請求項２に記載の生体情報測定装置。
【請求項４】
前記媒体封入体は、前記筐体に対して着脱可能である、
ことを特徴とする請求項１乃至３のいずれか一項に記載の生体情報測定装置。
【請求項５】
前記媒体封入体は、
前記筐体の外形を形作る外表面の全部又は一部と略同一形状の内側面をもち、当該内側面で前記外表面を覆うように、装着可能である、
ことを特徴とする請求項１乃至４のいずれか一項に記載の生体情報測定装置。
【請求項６】
前記筐体の前記外表面に、体重測定値を表示するための表示部が備えられ、
前記媒体封入体は、
当該媒体封入体が前記筐体を覆う場合において、前記表示部の位置に対応する当該媒体封入体の位置に開口部をもつ、
ことを特徴とする請求項５に記載の生体情報測定装置。
【請求項７】
前記表示部は、
前記開口部に嵌まり込むことが可能であるように、前記外表面から外方に突出している、
ことを特徴とする請求項６に記載の生体情報測定装置。
【請求項８】
前記筐体の前記外表面に、生体に電流を印加するための第１電極、及び、前記電流の印加を原因として生体内に生じる電位差を測定するための第２電極が備えられ、
前記媒体封入体は、
当該媒体封入体が前記筐体を覆う場合において、前記第１電極及び前記第２電極の位置に対応する当該媒体封入体の位置に開口部をもつ、
ことを特徴とする請求項５乃至７のいずれか一項に記載の体組成測定装置。
【請求項９】
前記電極は、
前記開口部に嵌まり込むことが可能であるように、かつ、該開口部の深さ以上の高さをもって、前記外表面から外方に突出している、
ことを特徴とする請求項８に記載の体組成測定装置。
【発明の詳細な説明】
【技術分野】
【０００１】
本発明は、生体情報測定装置に関する。
【背景技術】
【０００２】
従来、人体等の体重を測定する体重測定装置が提供されている。あるいは、この体重測定の機能を含み、当該機能によって測定された体重値等を基礎データとしながら、体脂肪、内臓脂肪、体水分量、筋肉量、骨量、基礎代謝量等といった体組成に関する指標を、測定し、あるいは前記基礎データに基づいて推定ないし演算する、体組成測定装置が提供されている。
このような生体に関する各種の情報を測定するための生体情報測定装置（以下、便宜上、「体重計等」と称することがある。）としては、例えば特許文献１に開示されているようなものが知られている（なお、特許文献２及び３については、後の説明で言及する。）。
【特許文献１】特開平１０−１９２２５８号公報
【特許文献２】特開２００４−２２６６２８号公報
【特許文献３】特開２００６−１３０６８４号公報
【発明の開示】
【発明が解決しようとする課題】
【０００３】
ところで、前述の体重計等は、様々な環境において利用されている。例えば、一般の家庭内、学校等の教育機関、スポーツジム、あるいは医療機関等々である。このような様々な利用環境の相違に鑑みると、体重計等も、それが置かれた環境に応じて、適切な外観意匠を纏っていることが望ましい。すなわち、各環境の相違に応ずるための外観意匠に対する配慮があってしかるべきである。
【０００４】
ところが、従来の体重計等においては、そのような外観意匠への配慮が十分になされているとはいえない。一般に、外観意匠に関し、最も人の注意を引くものの一つは外装色であろうが、従来の体重計等では、いったん着色された外装色は、製造時から廃棄時に至るまで、そのままである。これでは、例えば、スポーツジム等で利用されて好適な比較的活発な色合いの外装色を纏った体重計等を、より落ち着いた外装色が適している医療機関等に転用する、等といったことは困難となる。また、一般の家庭内では、部屋の模様替えが比較的頻繁に行われることが考えられるが、それに応じた外装色の変更も当然不可能である。
【０００５】
前述の特許文献１に記載の「体脂肪計」は、「色」それ自体を変化させることに関する記載はあるが、それは、測定結果たる体脂肪率を表示するための「表示色」に関するものであり（例えば、特許文献１の〔請求項２〕等参照）、前述したような外観意匠に対する配慮がなされているわけではない。概ね、体重計等における「色」の変更というと、この特許文献１の開示のように、表示部における表示色のみに感心が払われているのが現状のようである（特許文献１の他に、例えば、特開２００１−２２８０１３号公報、特開２００２−１７７２２３号公報等参照）。
また、体重計等を離れて、色彩の変化それ自体に着目した従来技術をみると、例えば、前記特許文献２及び３に開示されているようなものが知られている。しかしながら、これらの技術は、まさに「体重計等を離れて」いるのであって、前述したような課題に応え得るような解決策を提示しているわけではない。
【０００６】
また、体重計等が、上述したような様々な環境において利用されるということは、別の問題を提起する。
すなわち、一般に、体重計等による体重測定は、当該体重計等を水平に設置する等一定の望ましい姿勢に維持した上で行われるべきである。しかし、医療機関等のように、比較的体重測定等に適した状況を作出可能、あるいは、それに対する配慮がなされてしかるべき環境ならともかく、一般の家庭や学校等の教育機関等では、そのような状況が作出されること自体稀と考えるべきである。とするなら、同じ体重計等を用いたとしても、環境の相違に応じて異なる体重値が測定されてしまう等の不具合が生じ得る。
このように、体重計等が利用される環境の相違は、測定値それ自体に対する信頼性の問題としても現れ得るのである。
【０００７】
本発明は、上述した事情に鑑みてなされたものであり、様々な環境に好適に適応しうる生体情報測定装置を提供することを課題とする。
また、本発明は、上記課題をよりよく解決するために、様々な環境それぞれに適応的な、あるいは時宜に応じた外観意匠を呈することが可能な生体情報測定装置を提供することを他の課題とする。
さらに、本発明は、上記課題をよりよく解決するために、どのような環境で利用されても、殆ど常に正確な測定値を測定することが可能な生体情報測定装置を提供することを他の課題とする。
【課題を解決するための手段】
【０００８】
本発明に係る生体情報測定装置は、上述した課題を解決するため、少なくとも生体の重量を測定する機能を備える生体情報測定装置であって、筐体と、その内部に注入された着色媒体を前記筐体の外部から視認可能であるように、当該筐体の外部又は内部に装着される媒体封入体と、前記媒体封入体に備えられ、前記着色媒体を該媒体封入体の外部から内部に注入し又はその内部から外部へと排出することが可能な注入口と、を備える。
【０００９】
本発明によれば、媒体封入体内の着色媒体を交換することが可能である。これにより、例えば、媒体封入体内部の赤色の着色媒体を注入口から排出した後、青色の着色媒体を当該注入口から注入する等により、着色媒体が呈する色の変更（いま述べた例の場合、赤から青へ）を行うことが可能となる。そして、媒体封入体に注入された着色媒体は、生体情報測定装置を構成する筐体の外部から視認可能であるように、当該筐体に装着されることから、結局、本発明によれば、当該生体情報測定装置の外装色を変化させることが可能となるのである。
このようにして、本発明に係る生体情報測定装置は、様々な環境それぞれに適応的な、あるいは時宜に応じた、外観意匠を呈することが可能になる。
なお、本発明にいう「着色媒体」とは、取扱いの容易さ等の観点から、着色液体であるのが好ましいが、それに限らず、例えば着色された微小粉粒体の集合等が、それに該当すると考えることもできる。
【００１０】
この発明の生体情報測定装置では、前記着色媒体は着色液体であり、前記媒体封入体は、前記着色液体の内部の気泡が集まってくる気泡集中部を備えている、ように構成してもよい。
この態様によれば、気泡集中部が備えられているので、これを水平儀として利用することが可能となる。すなわち、気泡集中部内の気泡が、該集中部内の特定箇所に偏って存在する場合には、当該生体情報測定装置が一定の傾きをもって設置されている、ということを表現するように、当該気泡集中部の構造、配置及び大きさ等を適当に定めるならば、ユーザは、この気泡集中部内の気泡の動向を観察することで、当該生体情報測定装置を正確に水平に設置することが可能となるのである。
したがって、かかる発明によれば、どのような環境で利用されても、殆ど常に正確な測定値を測定することが可能となる。
【００１１】
この態様では、前記媒体封入体は、当該媒体封入体の内部の前記着色液体の量を指示する液量指示部を備えている、ように構成してもよい。
この構成によれば、液晶指示部により、媒体封入体内の着色液体の量を把握することが可能となるので、前述の気泡の量が好適となるように、着色液体の封入量を調整することが可能となる。したがって、前述した、水平儀としての機能を、より高めることが可能となる。
【００１２】
あるいは、本発明の生体情報測定装置では、前記媒体封入体は、前記筐体に対して着脱可能である、ように構成してもよい。
この態様によれば、媒体封入体が筐体に対して着脱可能であるので、媒体封入体に対する着色媒体の入れ替え作業等を、より容易に行うことができる。
あるいは、同じ理由により、当該生体情報測定装置の外装色を変更するために、それぞれ異なった色の着色媒体が予め封入された媒体封入体間に亘る変更を行う、等といったことも可能になる。
いずれにせよ、かかる構成によれば、ユーザに、よりフレンドリーな生体情報測定装置が提供される。
【００１３】
あるいは、本発明の生体情報測定装置では、前記媒体封入体は、前記筐体の外形を形作る外表面の全部又は一部と略同一形状の内側面をもち、当該内側面で前記外表面を覆うように、装着可能である、ように構成してもよい。
この態様では、典型的には例えば、次のような具体例が想定される。
すなわち、筐体が略直方体形状をもつ一方、媒体封入体は、この筐体をすっぽり収納することの可能な箱型形状（ここでは、略直方体形状から、その一面が取り除かれた五面からなる形状が想定されている。）をもつ。この場合、かかる媒体封入体における、着色媒体が封入されるべき場所は、当該箱型形状を形作る壁の内部が該当する。
このような形態によれば、媒体封入体が、生体情報測定装置の外表面の殆どを覆っているような状態を実現することが可能となるから、生体情報測定装置の外装色の変更が、より効果的に行われることになる。
なお、前記具体例は、まさに単なる一具体例であるに過ぎないことを注記しておく。
【００１４】
この態様では、前記筐体の前記外表面に、体重測定値を表示するための表示部が備えられ、前記媒体封入体は、当該媒体封入体が前記筐体を覆う場合において、前記表示部の位置に対応する当該媒体封入体の位置に開口部をもつ、ように構成してもよい。
これによれば、前述のように、媒体封入体が生体情報測定装置の外表面を殆ど覆う場合があるにもかかわらず、体重測定値の読み取りに必要な表示部は、開口部によって、外界に露出することになる。このように、この構成によると、その外装色の変更が効果的に行われるにもかかわらず、生体情報測定装置本来の機能を阻害することがない。
【００１５】
さらに、この態様では、前記表示部は、前記開口部に嵌まり込むことが可能であるように、前記外表面から外方に突出している、ように構成してもよい。
これによれば、表示部が突出していて、前記の開口部に嵌まり込むことが可能であるから、前述の効果がより実効的に奏される。
また、この構成によれば、前述の表示部及び開口部間の嵌合によって、筐体に対する媒体封入体の位置決めが正確に行われ得ることになるから、後者の前者に対する装着をより容易に、かつ、より正確に行うことができる。
【００１６】
また、媒体封入体が筐体を覆うように装着可能である態様では、前記筐体の前記外表面に、生体に電流を印加するための第１電極、及び、前記電流の印加を原因として生体内に生じる電位差を測定するための第２電極が備えられ、前記媒体封入体は、当該媒体封入体が前記筐体を覆う場合において、前記第１電極及び前記第２電極の位置に対応する当該媒体封入体の位置に開口部をもつ、ように構成してもよい。
これによれば、まず、第１電極及び第２電極の存在により、生体電気インピーダンスを測定することが可能である。そして、本態様では、前述のように、媒体封入体が生体情報測定装置の外表面を殆ど覆う場合があるにもかかわらず、生体への電流印加あるいは生体内電位差測定に必要な第１及び第２電極は、開口部によって、外界に露出することになる。このように、この構成によると、その外装色の変更が効果的に行われるにもかかわらず、生体情報測定装置本来の機能を阻害することがない。
【００１７】
さらに、この態様では、前記電極は、前記開口部に嵌まり込むことが可能であるように、かつ、該開口部の深さ以上の高さをもって、前記外表面から外方に突出している、ように構成してもよい。
これによれば、第１及び第２電極が突出していて、前記の開口部に嵌まり込むことが可能であり、更には、これら第１及び第２電極の高さが当該開口部の深さ以上とされていることから、電極の生体への接触をより確実に確保することができる。
【００１８】
なお、このような第１及び第２電極の開口部への嵌まり込み、あるいは該開口部からの突出、更には、前述した表示部の開口部への嵌まり込み等に係る考え方は、生体情報測定装置の筐体の外表面に備えられるその他の各種装備（例えば、操作スイッチ等）に関して、同様に適用することが可能であることは言うまでもない。
【発明を実施するための最良の形態】
【００１９】
以下では、本発明に係る実施の形態について図１乃至図４を参照しながら説明する。なお、図面においては、各部の寸法の比率は実際のものとは適宜に異ならせてある。
本実施形態に係る生体情報測定装置１００は、図１に示すように、表示部１２０、操作入力装置１３０、電流印加電極１ａ及び２ａ、電圧測定電極１ｂ及び２ｂ、並びに筐体１、そして媒体封入体２００を備えている。
【００２０】
このうち表示部１２０は、例えば、ＬＣＤ（Liquid Crystal Display）などの表示装置であり、生体情報測定装置１００によって測定された生体に関するデータ（生体情報）、あるいは測定日時等の各種データを表示する。
操作入力装置１３０は、メニューキーやアップキー、ダウンキーなどを有する。生体情報測定装置１００のユーザは、このような操作入力装置１３０を用いて、身長、年齢、性別などの個人データを入力することが可能であるとともに、日付設定や機能選択など各種設定入力を行うことが可能である。
【００２１】
電流印加電極１ａ及び２ａは、生体に高周波の微弱な定電流を印加するための電極である。また、電圧測定電極１ｂ及び２ｂは、そのようにして生体に印加された電流に起因して、当該生体内に生じる電位差を測定するための電極である。これら電流印加電極１ａ及び２ａ、並びに、電圧測定電極１ｂ及び２ｂ（以下、簡単のため、これらをまとめて「電極群１ａ乃至２ｂ」と呼称することがある。）は、図１に示すところからも明らかなように、前者が生体の足裏に接触し、後者が踵に接触する。
本実施形態の生体情報測定装置１００では、これら電極群１ａ乃至２ｂによる印加電流値、あるいは測定電圧値等に基づいて、生体電気インピーダンスを演算することが可能である。
【００２２】
また、本実施形態においては、これら電極群１ａ乃至２ｂは体重測定部を兼ねている。すなわち、これら電極群１ａ乃至２ｂの図１中下方には、体重測定装置（不図示）が備えられており、生体がこれら電極群１ａ乃至２ｂの上に乗ったときには、当該体重測定装置が、当該生体の重量を測定するようになっている。
【００２３】
上記のうち、表示部１２０及び電極群１ａ乃至２ｂは、図１に示すように、筐体１の外表面から一定の高さをもって、外方に向かって突出している。この突出が、どのような意味をもつかについては、後に改めて説明することとする。
【００２４】
筐体１は、当該生体情報測定装置１００の外形を形作る。本実施形態において、この筐体１は、図１に示すように、略直方体形状、あるいは換言すれば、その底面が概ね正方形状であってその高さが比較的低い柱体と呼び得る形状をもつ。筐体１の外表面には、前述の表示部１２０、操作入力装置１３０及び電極群１ａ乃至２ｂが、所定の位置に配置されている。
【００２５】
また、筐体１の内部は空洞となっており、この内部には、これら各種要素（１２０，１３０，１ａ，２ａ，１ｂ，２ｂ）に関する制御を行う制御部（不図示）等必要な内部要素が備えられている。この内部要素の詳細は、本発明の本質に直接的には関係しないので、簡単に説明しておくと、当該内部要素としては、前述の制御部のほか、この制御部や表示部１２０に供給する電源や、電極群１ａ乃至２ｂに接続されるリード線、あるいは前述した操作入力装置１３０を介して入力された個人データや、測定体重値、生体電気ピーダンス値等の各種情報を記憶する記憶装置（いずれも不図示）等が、この筐体１の内部に設置される。なお、前述した体重測定装置もまた、この筐体１の内部に設置されることは言うまでもない。
なお、上述の制御部や記憶装置等を利用することにより、本実施形態の生体情報測定装置１００は、体重値、生体電気インピーダンス値等を基礎データとしながら、体脂肪、内臓脂肪、体水分量、筋肉量、骨量、基礎代謝量等といった体組成に関する指標を、測定し、あるいは前記基礎データに基づいて推定ないし演算することが可能である。
【００２６】
本実施形態に係る生体情報測定装置１００は、上述の各種要素のほか、媒体封入体２００を備えている。この媒体封入体２００は、その全体が、例えば透明なプラスチック材料から作られて好適である。
【００２７】
媒体封入体２００は、図１乃至図３に示すように、筐体１の外形を形作る外表面の一部と略同一形状の内側面２９１をもつ。この内側面２９１は、筐体１が前述のように略直方体形状をもつのに対応した形状をもつ。すなわち、この内側面２９１だけで構成される立体形状に着目すると、それは、略直方体形状から、その一面が取り除かれた五面からなる形状となる。
【００２８】
媒体封入体２００は、このような内側面２９１のほか、この内側面２９１を構成する各面と平行な各面をもつ外側面２９２をも持つ。つまり、この外側面２９２は、内側面２９１を構成する前述の五面によって囲われる容積よりも、一回り大きな容積を囲う五面から構成される。なお、以下では、説明の便宜上、この外側面２９２あるいは内側面２９１を構成する「五面」のうち、図１又は図２中上方に示される面については「天井面」と、残る四面については各々「側面」と呼ぶことがある。
【００２９】
そして、媒体封入体２００は、図２、あるいは図３に示すように、この外側面２９２と内側面２９１との間に挟まれた空洞部たる媒体収納空間２９３をもつ。媒体収納空間２９３は、後述する注入口２５０の形成部位を除いて、密閉された空間である。このような媒体収納空間２９３に、着色液体Ｌは封入される（図４参照。これも後述する。）。
【００３０】
以上のように、媒体封入体２００は、全体的に見ると、いわば蓋のない箱型形状を持ち、かつ、その箱型形状を形作る壁の内部に空洞部（即ち、媒体収納部２９３）が形成されたかの如き構造をもっている、ということができる。
【００３１】
媒体封入体２００は更に、注入口２５０、気泡集中部２６０、目盛り２７０、並びに開口部２０１ａ，２０１ｂ，２０２ａ，２０２ｂ，２２０及び２３０を備えている。
まず、注入口２５０は、図１あるいは図３に示すように、外側面２９２を構成する一側面に備えられている。より詳細には、この注入口２５０は、略円筒形状をもち、その一方の端部が前記一側面に接続され、他方の端部が外方に向けて突き出されている。この円筒形状内部の空洞は、前記媒体収納空間２９３に連通している。また、注入口２５０の前記他方の端部には、図３に示すように、蓋２５１が備えられている。
この注入口２５０は、図４に示すように、着色液体Ｌを、媒体封入体２００の外部から内部に注入し、又は、その内部から外部へと排出するために設けられている。
また、前記の蓋２５１は、注入後の着色液体Ｌが媒体封入体２００から漏出しないために設けられている。この蓋２５１の具体的態様に関し、本発明は特に拘りをもたないが、前述した各機能、即ち着色液体Ｌの注入及び排出の両作業をより容易に行うことができ、かつ、注入後は確実に着色液体Ｌを媒体封入体２００内部に確保することができる構造を備えたものであることが好ましい。具体的には例えば、蓋２５１の一部に雄ねじ、注入口２５０の円筒内壁に雌ねじを形成し、蓋２５１が、注入口２５０にねじ止めされるような構造を採用するのが、最も好適な態様の一つである。
【００３２】
次に、気泡集中部２６０は、図１あるいは図２に示すように、外側面２９２を構成する天井面のほぼ中央に備えられている。より詳細には、この気泡集中部２６０は、その底面が長円形状であるドーム形状をもっている。図から明らかなように、気泡集中部２６０は、前記天井面から更に図中上方に突出している。また、気泡集中部２６０の前記底面は、天井面と同一面に乗るようになっているが（図２参照）、当該底面に、蓋等の部材が別途設けられているわけではない。つまり、ドーム形状となる気泡集中部２６０の内部の空洞部は、前記媒体収納空間２９３に連通している、あるいは、当該媒体収納空間２９３の一部を構成しているのである。
【００３３】
この気泡集中部２６０に関連して、後にも改めて触れるように、媒体封入体２００には、図４に示すように、目盛り２７０が設けられている。この目盛り２７０は、媒体封入体２００の内部にどの程度の着色液体Ｌが注入されているかをユーザに知らせる機能をもつ。
そして、この機能を利用すれば、前述の気泡集中部２６０に集中させるべき気泡の発生ないしその好適な量を確保することができる。これは、媒体収納空間２９３に着色液体Ｌを注入する際に、前記目盛り２７０を見ながら、その注入量を正確に調整するならば、気泡の量も同時に好適に調整することが可能となるからである。
【００３４】
次に、開口部２０１ａ，２０１ｂ，２０２ａ，２０２ｂ，２２０及び２３０（以下、簡単のため、これらをまとめて「開口部２０１ａ乃至２３０」と呼称することがある。）は、図１あるいは図２に示すように、そのそれぞれが外側面２９２を構成する天井面の所定の位置に配置されるように、形成されている。これらのうち、開口部２０１ａ及び２０２ａは、前記電流印加電極１ａ及び２ａの筐体１上における位置に対応する、媒体封入体２００の天井面上の所定位置に配置されている。また、その形状も、電流印加電極１ａ及び２ａの形状と対応している。図１では、両者とも、平面視して長円形状である。本実施形態において、両形状はほぼ同一の面積をもつが、開口部２０１ａ及び２０２ａの面積の方が、電流印加電極１ａ及び２ａの面積よりも、若干大きめとなっている。
【００３５】
このような関係は、残る開口部についても全く同じくあてはまる。ただし、開口部２０１ｂ及び２０２ｂは前記電圧測定電極１ｂ及び２ｂに、開口部２２０は前記表示部１２０に、開口部２３０は前記操作入力装置１３０に、それぞれ対応している。
【００３６】
このような開口部２０１ａ乃至２３０の存在により、媒体封入体２００を筐体１の装着した際には、そのそれぞれの開口部２０１ａ乃至２３０に対応する各要素（即ち、電流印加電極１ａ及び２ａ等）は、媒体封入体２００に完全に覆われてしまうのではなく、外界に露出される。
【００３７】
また、開口部２０１ａ乃至２３０のそれぞれは、図２において開口部２０１ａ及び２０２ｂが代表して示しているように、一定の深さＤをもつ。この深さＤは、本実施形態では、開口部２０１ａ乃至２３０が内側面２９１から前記天井面まで貫通する開口部であるので、媒体封入体２００の「厚さ」に等しい、ということもできる。
このように、開口部２０１ａ乃至２３０それぞれが深さＤをもつことが、前に保留しておいた、表示部１２０及び電極群１ａ乃至２ｂの筐体１の外表面から突出していることの意味を明らかにする。すなわち、図２によく示されているように、電流印加電極１ａ及び２ａが一定の高さＨをもっているので、媒体封入対２００の筐体１への装着の際、これら電流印加電極１ａ及び２ａは、深さＤをもつ開口部２０１ａ及び２０２ａに好適に嵌め込まれるようになっているのである。
また、それに加えて、もしＨ≧Ｄが成立するように、これらの高さ及び深さを調整しておくのであれば、単に電流印加電極１ａ及び２ａを開口部２０１ａ及び２０２ａを通じて外界に露出させるというだけでなく、図２に示すように、これら電流印加電極１ａ及び２ａを、媒体封入体２００の天井面からも突出させることが可能となる。
電極群１ａ乃至２ｂは生体に直接的に接触する必要があることを考えると、このような「突出」が実現されることの意義は大きい。
【００３８】
以下では、以上のような構成を備える生体情報測定装置１００の作用効果について、既に参照した図１乃至図４に加えて、図５をも参照しながら説明する。
（１）  まず、本実施形態に係る体制情報測定装置１００では、媒体封入体２００内に、様々な色を発色する着色液体Ｌを注入することが可能である。例えば、図４に示すように、もともと空っぽの状態にあった媒体封入体２００に対しては、その注入口２５０を介して、所定の色をもつ着色液体Ｌを注入することが可能である。図４では、ボトルＬＢの口と注入口２５０とを会合させた上で、前者から後者（及びそれに接続された媒体収納空間２９３）に、着色液体Ｌが注ぎ込まれている様子が描かれている。
【００３９】
なお、この際、着色液体Ｌの注入量は、目盛り２７０を参照しながら、好適に調整することが可能である。これにより、既述のように、気泡Ｂの量が同時に調整されることになる。
また、媒体封入体２００に着色液体Ｌを所定量注ぎ終えたら、注入口２５０に蓋２５１が装着されることで、その内部から当該着色液体Ｌが漏出することは防止される。
【００４０】
続いて、所定量の着色液体Ｌが蓄えられた媒体封入体２００が、図１に示すように、筐体１に装着される。この場合、開口部２０１ａ乃至２３０と、そのそれぞれに対応する表示部１２０等の各要素との間の嵌め合いが可能となっていることから、両者の位置決めは、より容易に行われる。
もっとも、本実施形態では、そのような嵌合の助けを借りなくとも、媒体封入体２００が前述のような箱型形状という特徴的な形状（特に、前述した４つの「側面」）をもっているので、媒体封入体２００と筐体１との位置合わせを行うことはさほど困難ではない（逆に言えば、そのような形態を備えない媒体封入体の場合、開口部及び対応する要素間の嵌合の作用効果は最大限発揮される、ということができる。）。
【００４１】
以上のような非常に簡単な２つの作業が完了すれば、既に、生体情報測定装置１００は、媒体封入体２００に蓄えられた着色液体Ｌのもつ色と同じ外装色を纏っていることになる。これは、本実施形態において、媒体封入体２００が透明なプラスチック材料によって作られているからであり、かつ、図１に示すように、着色液体Ｌが筐体１の外部から視認可能であることは明らかだからである。
しかも、本実施形態の場合、媒体封入体２００が、前述のように特徴的な箱型形状をもっているので、筐体１の床面（図１中不図示の下面）を除いて、その殆どの外表面を覆うことになる。したがって、外装色変更効果が、より実効的に奏されるようになっているのである。
【００４２】
本実施形態ではまた、このような一定の外装色を纏った状態にある生体情報測定装置１００を、別の外装色をもつ状態に変更することが極めて容易である。その場合は、筐体１から媒体封入体２００をいったん離脱させて、注入口２５０から蓋２５１をはずし、そこから着色液体Ｌを当該媒体封入体２００から外部へと排出した後、改めて、従前の色とは異なる色をもつ着色液体Ｌを注入すればよいのである。
【００４３】
以上述べたように、本実施形態に係る生体情報測定装置１００によれば、様々な環境それぞれに適応的な、あるいは時宜に応じた、外観意匠を呈することが可能になる。
【００４４】
（２）  本実施形態では、前述したような、媒体封入体２００の筐体１への装着後、気泡注入部２６０を利用することで、測定値の信頼性向上を図ることができる。
すなわち、気泡集中部２６０は、前述のように、筐体１の外側面２９２を構成する天井面に備えられていることから、媒体封入体２００が装着済みの生体上方測定装置１００を、通常状態で床面に設置すると、当該気泡集中部２６０には、着色液体Ｌの内部の気泡Ｂが、無理なく集まってくる。この気泡Ｂの集中には、気泡集中部２６０がドーム形状をもっており、前記天井面よりも更に高い位置に位置付けられるようになっていることも、貢献する。
【００４５】
このように、気泡集中部２６０には、図５に示すような気泡Ｂが集中する。これにより、当該気泡集中部２６０は、水平儀として機能しうることになる。すなわち、本実施形態において、気泡Ｂが、図５（ｂ）に示すように気泡集中部２６０内の特定箇所に偏って存在する場合、当該気泡集中部２６０は、生体情報測定装置１００それ自体が一定の傾きをもって設置されている、ということを表現する水平儀として機能するのである。これは、本実施形態に係る気泡集中部２６０が、前記天井面のほぼ中央に配置されていること、また、底面が長円形状であるドーム形状をもっていること等、その構造、配置及び大きさ等が適当に設定されていることによる。
【００４６】
これにより、図５（ｂ）に示すユーザＵは、例えば筐体１の下面と設置面との間に適当なスペーサを設置するとか、あるいは、設置場所を変更すること等により、図５（a）に示すように、生体情報測定装置１００のほぼ厳密な水平設置を実現することが可能になる。なお、本実施形態において、気泡Ｂの量は、既に述べたように好適に調整され得るようになっているので、前記気泡集中部２６０は、水平儀としての機能をよりよく発揮しうる。
このように、本実施形態に係る生体情報測定装置１００によれば、どのような環境で利用されても、殆ど常に正確な測定値を測定することが可能となるのである。
【００４７】
以上のようにして、本実施形態の生体情報測定装置１００は、環境フレンドリーな外装色を纏い、かつ、測定値の信頼性向上という特徴を備えた上で、生体の体重、あるいはその他の情報を高精度に測定する。
ちなみに、生体電気インピーダンスを測定する場合、被験者は、電極群１ａ乃至２ｂの上に自らの足を乗せることになり、また、体重値等の測定結果は表示部１２０に表示されることになるが、前記開口部２０１ａ，２０２ａ，２０１ｂ，２０２ｂ及び２２０は、これら電極群１ａ乃至２ｂへの足裏及び踵の接触、そして表示部１２０に表示された測定結果の読み取りを何ら阻害することがない。これは、開口部２０１ａ乃至２３０に関して前述した「位置決め」に係る作用効果とは別の、当該開口部２０１ａ，２０２ａ，２０１ｂ，２０２ｂ及び２２０によって発揮されるいま一つの作用効果である。なお、開口部２３０の存在によって、操作入力装置１３０に対する入力操作が阻害されることもない。
【００４８】
以上、本発明に係る実施の形態について説明したが、本発明に係る生体情報測定装置は、上述した形態に限定されることはなく、各種の変形が可能である。
（１）  上記実施形態では、本発明に係る「媒体封入体」として、箱型形状をもつ媒体封入体２００を一具体例として説明しているが、本発明は、かかる形態に限定されるわけではない。例えば、本発明に係る「媒体封入体」は、より単純に、円筒形状をもっていたり、あるいは、その内部が空洞となっているシート形状をもっていたりしてよい。
ただし、この場合、後者のシート形状はともかく、前者の円筒形状等、いわば一定の「嵩」を持つような形状の場合には、当該媒体封入体を筐体１の「外部」へと装着することは、むしろ意匠上不自然な感じを作出する結果となる等、一定の困難さを生じさせることもあり得る。
そこで、このような場合においては、筐体１の「内部」に当該媒体封入体を挿脱するための空間を備えるとともに、筐体１の外表面に前記空間内部を透視可能な窓を備える、等すれば、前述した実施形態と略同様の作用効果を享受することが可能である。
本発明にいう、媒体封入体が、「外部から視認可能であるように…装着される」という概念には、上述のような形態もまた含まれている。
【００４９】
（２）  上記実施形態では、透明なプラスチック材料から作られた媒体封入体２００を例に説明しているが、本発明はかかる形態に限定されない。例えば、媒体封入体の一部だけ透明で、他の部分は金属等不透明な材料から作る、等の態様もあり得てよい。更に、媒体封入体の全体を半透明な材料から作る、といった態様であってもよい。
【００５０】
（３）  上記実施形態では、電極群１ａ乃至２ｂは、生体の足に接触するものとして説明しているが、電極一般としては、生体の他の部位（例えば、掌）に接触させるものであってもよい。あるいは、場合によっては、「電極」を用いずに、生体の状態を測定するその他の各種の測定手段が用いられてもよい。このような場合であっても、上記実施形態において、表示部及び電極以外の操作入力部１３０について、対応する開口部２３０が設けられていたように、「開口部」に係る本発明の技術的思想の適用を考えることは可能である。すなわち、当該他の測定手段が、外界に曝される必要があり、かつ、媒体封入体が筐体の殆ど全部を覆うような形状を持っているのならば、当該他の測定手段に対しても、「開口部」に係る本発明の技術的思想を適用することは容易に可能ということである。
【図面の簡単な説明】
【００５１】
【図１】本発明の一実施形態に係る生体情報測定装置の概観を示す図である。
【図２】図１のＸＸ線断面図である。
【図３】図１のＹＹ線断面図である。
【図４】媒体封入体に着色液体を注入する様子を示す図である。
【図５】気泡集中部の作用を説明するための図である。
【符号の説明】
【００５２】
１００……生体情報測定装置、１……筐体、１ａ，２ａ……電流印加電極，１ｂ，２ｂ……電圧測定電極、１２０……表示部、１３０……操作入力装置、２００……媒体封入体、２９１……内側面、２９２……外側面、２９３……媒体収納空間、２５０……注入口、２５１……蓋、２６０……気泡集中部、２７０……目盛り、２０１ａ，２０２ａ……開口部（電流印加電極用）、２０１ｂ，２０２ｂ……開口部（電圧測定電極用），２２０……開口部（表示部用），２３０……開口部（操作入力装置用）、Ｌ……着色液体、Ｄ……（開口部の）深さ、Ｈ……（電流印加電極等の突出）高さ
【図１】
2009060950.tif 000003
【図２】
2009060950.tif 000004
【図３】
2009060950.tif 000005
【図４】
2009060950.tif 000006
【図５】
2009060950.tif 000007